【手続補正書】
【提出日】平成21年3月9日(2009.3.9)
【手続補正１】
【補正対象書類名】特許請求の範囲
【補正対象項目名】全文
【補正方法】変更
【補正の内容】
【特許請求の範囲】
【請求項１】
始動信号に基づき抽選を行う抽選手段と、この抽選手段の抽選結果に基づいて複数の図柄で構成された複数の変動パターン列を変動表示させ、各変動パターン列の停止図柄の配列によって前記抽選の結果を表示する表示装置と、この表示装置の表示を制御する表示制御手段とを備えた遊技機において、
前記表示制御手段は、前記変動パターン列の各列毎に属する複数種類の図柄の内の数種を一群の図柄列としてまとめ、この一群の図柄列の各図柄に対し一群の図柄列であることが識別可能な表記を行って前記表示装置に表示し、
前記複数の変動パターン列の内、最初に停止表示する変動パターン列の図柄に前記一群の図柄列の中から停止表示された図柄の数に応じて、最終に停止表示する変動パターン列の停止状態によって当選する可能性のあるリーチ状態を発生する前記停止図柄の配列の数の発生確率が、前記一群の図柄列の中の図柄の数が多いほどより高くなるように最初に停止表示する変動パターン列の次から前記最終に停止表示する変動パターン列の前までに表記する変動パターン列の表示制御を行うことを特徴とする遊技機。
【請求項２】
前記表示制御手段は、前記一群の図柄列であることが識別可能な共通する表記を行い、当該表記は、当該図柄列毎に図柄の背景の色を変える、当該図柄列毎に文字、数字、キャラクタ等で分けて図柄の種類を変える、当該図柄列毎に異なる符号を付ける、当該図柄列毎に図柄又は符号の書体を変える、のうちの少なくとも１つの含むことを特徴とする請求項１記載の遊技機。
【請求項３】
前記表示制御手段は、前記一群の図柄列が前記表示装置に全て表示される場合の方が、一部表示される場合よりも前記抽選手段の抽選結果に係る当選の可能性を高くするように制御することを特徴とする請求項１又は請求項２記載の遊技機。
【請求項４】
前記表示制御手段は、前記一群の図柄列を有する変動パターン列が変動を停止する前に、その変動速度及び／又は変動方向を変化させて表示する制御を含むことを特徴とする請求項１乃至請求項３の何れか１項記載の遊技機。
【請求項５】
前記一群の図柄列は、前記表示装置に同時に表示可能に数珠繋ぎに配置された複数の図柄を１単位のブロックとする複数のブロックに分類され、１ブロック内の複数の図柄が同時に表示された方が、複数のブロックにまたがって図柄が表示されるよりも、当選報知の可能性が高いことを特徴とする請求項１乃至請求項４の何れか１項記載の遊技機。
【請求項６】
前記当選報知の可能性の高さの基準が、最終列が停止する前までの停止図柄の配列が、最終列の停止状態によって当選する可能性があるリーチ状態において、前記最終列の停止パターンが３パターン以上あるか否かであることを特徴とする請求項５記載の遊技機。
【請求項７】
前記目印画像データ付与手段が、識別した画像データ群毎に図柄の背景の色を変える、図柄の種類を変える、図柄に符号をつける、図柄又は符号の書体を変える、の少なくとも１つを含むことを特徴とする請求項１乃至請求項６の何れか１項記載の遊技機。
【手続補正２】
【補正対象書類名】明細書
【補正対象項目名】００１２
【補正方法】変更
【補正の内容】
【００１２】
本発明は、始動信号に基づき抽選を行う抽選手段と、この抽選手段の抽選結果に基づいて複数の図柄で構成された複数の変動パターン列を変動表示させ、各変動パターン列の停止図柄の配列によって前記抽選の結果を表示する表示装置と、この表示装置の表示を制御する表示制御手段とを備えた遊技機において、前記表示制御手段は、前記変動パターン列の各列毎に属する複数種類の図柄の内の数種を一群の図柄列としてまとめ、この一群の図柄列の各図柄に対し一群の図柄列であることが識別可能な表記を行って前記表示装置に表示し、前記複数の変動パターン列の内、最初に停止表示する変動パターン列の図柄に前記一群の図柄列の中から停止表示された図柄の数に応じて、最終に停止表示する変動パターン列の停止状態によって当選する可能性のあるリーチ状態を発生する前記停止図柄の配列の数の発生確率が、前記一群の図柄列の中の図柄の数が多いほどより高くなるように最初に停止表示する変動パターン列の次から前記最終に停止表示する変動パターン列の前までに表記する変動パターン列の表示制御を行うことを特徴としている。
【手続補正３】
【補正対象書類名】明細書
【補正対象項目名】００１３
【補正方法】変更
【補正の内容】
【００１３】
本発明によれば、表示制御手段が、変動パターン列に属する複数種類の図柄のうちの数種を一群の図柄列としてまとめ、この一群の図柄列の各図柄に対して一群の図柄列であることが識別可能な表記を行って表示装置に表示する制御を行うことにより、識別可能に表記された一群の図柄列に対して、特別な図柄列であることを遊技者に対し強くアピールし、一群の図柄列が表記された場合には遊技者により強い期待感を与えることができる。また、一群の図柄列の図柄の数がより多く表記された場合には、より高確率でリーチ状態を発生する配列が発生するので、遊技者に大当たり発生のより強い期待感を与えることができる。
【手続補正４】
【補正対象書類名】明細書
【補正対象項目名】００１４
【補正方法】変更
【補正の内容】
【００１４】
本発明において、前記表示制御手段は、前記一群の図柄列であることが識別可能な共通する表記を行い、当該表記は、当該図柄列毎に図柄の背景の色を変える、当該図柄列毎に文字、数字、キャラクタ等で分けて図柄の種類を変える、当該図柄列毎に異なる符号を付ける、当該図柄列毎に図柄又は符号の書体を変える、のうちの少なくとも１つの含むことを特徴としている。
【手続補正５】
【補正対象書類名】明細書
【補正対象項目名】００１５
【補正方法】変更
【補正の内容】
【００１５】
表示制御手段は、前記一群の図柄列であることが識別可能な表記を当該図柄列毎に図柄の背景の色を変える、当該図柄列毎に文字、数字、キャラクタ等で分けて図柄の種類を変える、当該図柄列毎に異なる符号を付ける、当該図柄列毎に図柄又は符号の書体を変える、のうちの少なくとも１つの含むように共通する表記を行うことにより、特別な図柄であることを遊技者に対し、より見易く表記することになって、より強くアピールし、一群の図柄列が表記された場合には遊技者により強い期待感を与えることができる。
【手続補正６】
【補正対象書類名】明細書
【補正対象項目名】００１６
【補正方法】変更
【補正の内容】
【００１６】
また、本発明において、前記表示制御手段は、前記一群の図柄列が前記表示装置に全て表示される場合の方が、一部表示される場合よりも前記抽選手段の抽選結果に係る当選の可能性を高くするように制御することを特徴としている。
【手続補正７】
【補正対象書類名】明細書
【補正対象項目名】００１７
【補正方法】変更
【補正の内容】
【００１７】
表示制御手段は、一群の図柄列が表示装置に全て表示される場合の方が、一部表示される場合よりも抽選手段の抽選結果に係る当選の可能性を高くなるように制御するので、遊技者に対して一群の図柄列が表示装置に多く表示されるほど当選の可能性を高くなるようにアピールすることになり、より強い当選への期待感を与えることができる。
【手続補正８】
【補正対象書類名】明細書
【補正対象項目名】００１８
【補正方法】変更
【補正の内容】
【００１８】
さらに、本発明において前記表示制御手段は、前記一群の図柄列を有する変動パターン列が変動を停止する前に、その変動速度及び／又は変動方向を変化させて表示する制御を含むことを特徴としている。
【手続補正９】
【補正対象書類名】明細書
【補正対象項目名】００１９
【補正方法】変更
【補正の内容】
【００１９】
表示制御手段は、一群の図柄列を有する変動パターン列が変動を停止する前に、その変動速度及び／又は変動方向を変化させて表示する制御を含むので、遊技演出をそれだけ変化に富んだものとすることができ、遊技者に対しより強い当選への期待感を与えることができる。
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】変更
【補正の内容】
【００２４】
また、本発明において、前記一群の図柄列は、前記表示装置に同時に表示可能に数珠繋ぎに配置された複数の図柄を１単位のブロックとする複数のブロックに分類され、１ブロック内の複数の図柄が同時に表示された方が、複数のブロックにまたがって図柄が表示されるよりも、当選報知の可能性が高いことを特徴としている。
【手続補正１５】
【補正対象書類名】明細書
【補正対象項目名】００２５
【補正方法】変更
【補正の内容】
【００２５】
表示装置に同時に表示可能に数珠繋ぎに配置された複数の図柄の集合（ブロック）を識別条件とし、このブロックに属する複数の図柄が同時に表示されたときの方が、ブロック間をまたがって図柄が表示されたときよりも、当選報知の可能性が高くなるようにする。遊技者は識別された図柄が同時に表示されることで期待感が増大する。
【手続補正１６】
【補正対象書類名】明細書
【補正対象項目名】００２６
【補正方法】変更
【補正の内容】
【００２６】
さらに、本発明において、前記当選報知の可能性の高さの基準が、最終列が停止する前までの停止図柄の配列が、最終列の停止状態によって当選する可能性があるリーチ状態において、前記最終列の停止パターンが３パターン以上あるか否かであることを特徴としている。
【手続補正１７】
【補正対象書類名】明細書
【補正対象項目名】００２７
【補正方法】変更
【補正の内容】
【００２７】
例えば、一般的に３列の変動パターン列で３図柄ずつ表示する場合、最大３ラインでのリーチ（トリプルリーチ）が可能である、同時に表示される図柄数が増えればそれに同時リーチ数は増える可能性がある。
【手続補正１８】
【補正対象書類名】明細書
【補正対象項目名】００２９
【補正方法】変更
【補正の内容】
【００２９】
また、本発明において、前記目印画像データ付与手段が、識別した画像データ群毎に図柄の背景の色を変える、図柄の種類を変える、図柄に符号をつける、図柄又は符号の書体を変える、の少なくとも１つを含むことを特徴としている。
【手続補正１９】
【補正対象書類名】明細書
【補正対象項目名】００３０
【補正方法】変更
【補正の内容】
【００３０】
識別した結果、目印画像データを付与するが、この目印画像として、識別した画像データ群毎に図柄の背景の色を変える、図柄の種類を変える、図柄に符号をつける、図柄又は符号の書体を変える、の少なくとも１つを含むことで、遊技者は容易に識別することができる。